(57)【要約】【課題】高解像度画像を低解像度画像に変換した場合であっても、高解像度画像に埋め込まれた電子透かし情報が削減されない電子透かし情報の埋め込み方法を提供する。【解決手段】画像生成方法は、対象画像を解像度が低い画像に変換する変換手順と、前記変換手順により変換された変換画像に対して、電子透かし情報を埋め込む埋め込み手順と、前記埋め込み手順により前記電子透かし情報が埋め込まれた埋め込み画像と、前記変換画像との差分を抽出する抽出手順と、前記抽出手順により抽出された差分画像を前記対象画像の解像度に基づいて拡大する拡大手順と、前記拡大手順により拡大された拡大画像と、前記対象画像とに基づいて、画像を生成する画像生成手順と、を有する。【選択図】図２
2018198397.tif 000002
【特許請求の範囲】
【請求項１】
対象画像を解像度が低い画像に変換する変換手順と、
前記変換手順により変換された変換画像に対して、電子透かし情報を埋め込む埋め込み手順と、
前記埋め込み手順により前記電子透かし情報が埋め込まれた埋め込み画像と、前記変換画像との差分を抽出する抽出手順と、
前記抽出手順により抽出された差分画像を前記対象画像の解像度に基づいて拡大する拡大手順と、
前記拡大手順により拡大された拡大画像と、前記対象画像とに基づいて、画像を生成する画像生成手順と、
を有する画像生成方法。
【請求項２】
対象画像を解像度が低い画像に変換する変換ステップと、
前記変換ステップにより変換された変換画像に対して、電子透かし情報を埋め込む埋め込みステップと、
前記埋め込みステップにより前記電子透かし情報が埋め込まれた埋め込み画像と、前記変換画像との差分を抽出する抽出ステップと、
前記抽出ステップにより抽出された差分画像を前記対象画像の解像度に基づいて拡大する拡大ステップと、
前記拡大ステップにより拡大された拡大画像と、前記対象画像とに基づいて、画像を生成する画像生成ステップと、
を有する画像生成プログラム。
【発明の詳細な説明】
【技術分野】
【０００１】
本発明は、画像生成方法、及び画像生成プログラムに関する。
【背景技術】
【０００２】
従来、画像や動画に対して電子透かし情報を埋め込む技術が知られている。
【先行技術文献】
【特許文献】
【０００３】
【特許文献１】特開２０１１−２３４２２２号公報
【発明の概要】
【発明が解決しようとする課題】
【０００４】
ここで、高解像度画像が低解像度画像に変換された場合、当該高解像度画像に埋め込まれた電子透かし情報は、変換に伴って削減される場合がある。
本発明は、上記問題に鑑みて為されたものであり、高解像度画像を低解像度画像に変換した場合であっても、高解像度画像に埋め込まれた電子透かし情報が削減されない電子透かし情報の埋め込み方法を提供することを目的とする。
【課題を解決するための手段】
【０００５】
本発明の一態様は、対象画像を解像度が低い画像に変換する変換手順と、前記変換手順により変換された変換画像に対して、電子透かし情報を埋め込む埋め込み手順と、前記埋め込み手順により前記電子透かし情報が埋め込まれた埋め込み画像と、前記変換画像との差分を抽出する抽出手順と、前記抽出手順により抽出された差分画像を前記対象画像の解像度に基づいて拡大する拡大手順と、前記拡大手順により拡大された拡大画像と、前記対象画像とに基づいて、画像を生成する画像生成手順と、を有する画像生成方法である。
【０００６】
また、本発明の一態様は、対象画像を解像度が低い画像に変換する変換ステップと、前記変換ステップにより変換された変換画像に対して、電子透かし情報を埋め込む埋め込みステップと、前記埋め込みステップにより前記電子透かし情報が埋め込まれた埋め込み画像と、前記変換画像との差分を抽出する抽出ステップと、前記抽出ステップにより抽出された差分画像を前記対象画像の解像度に基づいて拡大する拡大ステップと、前記拡大ステップにより拡大された拡大画像と、前記対象画像とに基づいて、画像を生成する画像生成ステップと、を有する画像生成プログラムである。
【発明の効果】
【０００７】
本発明によれば、高解像度画像を低解像度画像に変換した場合であっても、高解像度画像に埋め込まれた電子透かし情報が削減されない電子透かし情報の埋め込み方法を提供することができる。
【図面の簡単な説明】
【０００８】
【図１】従来技術において電子透かし技術が適応された高解像度画像を低解像度画像に変換する一例を示す図である。
【図２】本実施形態に係る画像生成装置の機能構成の一例を示す図である。
【図３】本実施形態に係る画像生成装置の動作の一例を示す流れ図である。
【図４】本実施形態に係る変換部の構成の詳細を示す図である。
【図５】本実施形態に係る埋込部の構成の詳細を示す図である。
【図６】本実施形態に係る抽出部の構成の詳細を示す図である。
【図７】本実施形態に係る拡大部の構成の詳細を示す図である。
【図８】本実施形態に係る低解像度埋込画素と、拡大埋込画素との一例を示す図である。
【図９】本実施形態に係る画像生成部の構成の詳細を示す図である。
【発明を実施するための形態】
【０００９】
［実施形態］
図１を参照して、電子透かし情報が埋め込まれた高解像度画像の変換の一例について説明する。
図１は、従来技術において電子透かし技術が適応された高解像度画像を低解像度画像に変換する一例を示す図である。
電子透かし技術とは、画像、動画、及び音声などのマルチメディアデータに電子透かし情報を埋め込む技術である。電子透かし情報とは、例えば、当該電子透かし情報が埋め込まれるマルチメディアデータの著作権者を証明可能な情報である。
【００１０】
電子透かし技術には、例えば、知覚可能な電子透かし情報をマルチメディアデータに埋め込む方法と、知覚困難な電子透かし情報をマルチメディアデータに埋め込む方法とが存在する。本実施形態では、電子透かし技術が、知覚困難な電子透かし情報をマルチメディアデータに埋め込む方法である場合について説明する。また、本実施形態では、電子透かし情報が埋め込まれるマルチメディアデータが、画像（動画）である場合について説明する。
【００１１】
図１（Ａ）は、高解像度の画像に電子透かし技術によって電子透かし情報が埋め込まれた画像（以下、高解像度埋込画像ＨＷＰ１）を示す図である。図１（Ｂ）は、高解像度埋込画像ＨＷＰ１を低解像度の画像に変換した画像（以下、低解像度埋込画像ＬＷＰ１）を示す図である。以降の説明において、高解像度画像ＨＰ（高解像度埋込画像ＨＷＰ１）が４Ｋ解像度の画像であって、低解像度埋込画像ＬＷＰ１がＦＨＤ（Ｆｕｌｌ  Ｈｉｇｈ  Ｄｅｆｉｎｔｉｏｎ）の画像である場合について説明する。
【００１２】
図１（Ａ）に示す通り、高解像度埋込画像ＨＷＰ１には、電子透かし技術によって知覚困難な電子透かし情報が埋め込まれる。知覚困難な電子透かし情報とは、例えば、複数の高解像度埋込画素ＨＲＣである。高解像度埋込画素ＨＲＣとは、高解像度画像ＨＰを構成する画素のうち、いずれかの画素の画素値を所定の方法によって変更した画素である。所定の方法とは、例えば、置換法、周波数領域変換法、拡散法、統計的方法、及びベクトル量子化法等である。
【００１３】
電子透かし情報を検出するソフトウェア（以下、単に「検出ソフトウェア」と記載する）は、高解像度埋込画像ＨＷＰ１に埋め込まれる電子透かし情報を検出する。具体的には、検出ソフトウェアは、高解像度埋込画像ＨＷＰ１における高解像度埋込画素ＨＲＣの配置や、高解像度埋込画素ＨＲＣの画素値等に基づいて、電子透かし情報を検出する。画像の著作権者を確認する確認者は、検出ソフトウェアが検出した電子透かし情報に基づいて、電子透かし技術が埋め込まれた画像の著作権者を確認することができる。
【００１４】
ここで、高解像度埋込画像ＨＷＰ１（４Ｋ解像度の画像）が低解像度埋込画像ＬＷＰ１（ＦＨＤの画像）に変換される際、高解像度埋込画像ＨＷＰ１の情報量は、低解像度埋込画像ＬＷＰ１の解像度（画素数）に応じた情報量に削減される。従来技術では、高解像度埋込画像ＨＷＰ１に含まれる高解像度埋込画素ＨＲＣの画素数が少ない場合、低解像度埋込画像ＬＷＰ１には、高解像度埋込画素ＨＲＣに応じた画素（以下、低解像度埋込画素ＬＲＣ）が示されない（削減される）場合があった。この場合には、検出ソフトウェアは、低解像度埋込画像ＬＷＰ１に基づいて、電子透かし情報を検出することが困難である。したがって、従来技術では、確認者は、画像の著作権者を確認することができないという問題が生じる場合があった。
【００１５】
本実施形態の画像生成装置１０は、電子透かし情報が埋め込まれた高解像度の画像が低解像度の画像に変換される場合であっても、電子透かし情報を検出可能な高解像度埋込画像ＨＷＰ２を生成する。以下、画像生成装置１０の具体的な構成について説明する。
【００１６】
［画像生成装置の構成］
図２は、本実施形態に係る画像生成装置１０の機能構成の一例を示す図である。
図２に示す通り、画像生成装置１０は、制御部１００を備える。制御部１００は、ＣＰＵ（Ｃｅｎｔｒａｌ  Ｐｒｏｃｅｓｓｉｎｇ  Ｕｎｉｔ）などのプロセッサが記憶部（不図示）に記憶されたプログラムを実行することによって実現される。制御部１００は、例えば、取得部１１０と、変換部１２０と、埋込部１３０と、抽出部１４０と、拡大部１５０と、画像生成部１６０と、出力部１７０とを機能部として備える。
【００１７】
取得部１１０は、高解像度画像ＨＰを取得する。取得部１１０は、取得した高解像度の画像（以下、高解像度画像ＨＰ）と、当該高解像度画像ＨＰを識別する識別情報（以下、識別情報ＩＤ）とを対応付けて、各機能部に供給する。
変換部１２０は、取得部１１０が取得した高解像度画像ＨＰを、低解像度の画像（以下、低解像度画像ＬＰ）に変換する。
埋込部１３０は、電子透かし技術によって低解像度画像ＬＰに低解像度埋込画素ＬＲＣを埋め込む。抽出部１４０は、低解像度画像ＬＰに低解像度埋込画素ＬＲＣが埋め込まれた画像（以下、低解像度埋込画像ＬＷＰ２）から、低解像度埋込画素ＬＲＣのみを抽出する。
抽出部１４０は、抽出した低解像度埋込画素ＬＲＣのみを示す画像（以下、差分画像ＤＰ）を生成する。
拡大部１５０は、高解像度画像ＨＰの大きさに応じて、差分画像ＤＰを拡大する。
画像生成部１６０は、拡大部１５０が拡大した差分画像ＤＰ（以下、拡大差分画像ＢＤＰ）と、取得部１１０から取得した高解像度画像ＨＰとに基づいて、高解像度埋込画像ＨＷＰ２を生成する。１７０は、画像生成部１６０が生成した高解像度埋込画像ＨＷＰ２を出力する。
【００１８】
［画像生成装置の動作］
図３は、本実施形態に係る画像生成装置１０の動作の一例を示す流れ図である。
取得部１１０は、例えば、外部装置から高解像度画像ＨＰを取得する（ステップＳ１００）。本実施形態の一例では、動画に高解像度埋込画素ＨＲＣを埋め込む場合について説明する。つまり、取得部１１０は、所定の時間間隔において、高解像度画像ＨＰを取得する。なお、取得部１１０は、ネットワークを介して外部装置から高解像度画像ＨＰを取得する構成であってもよく、画像生成装置１０に接続される外部記憶装置から高解像度画像ＨＰを取得する構成であってもよい。
【００１９】
変換部１２０は、取得部１１０が取得した高解像度画像ＨＰを、低解像度画像ＬＰに変換する（ステップＳ１１０）。以下、図４を参照して、変換部１２０の構成の詳細について説明する。
図４は、本実施形態に係る変換部１２０の構成の詳細を示す図である。
上述したように、ここでは、高解像度画像ＨＰが４Ｋ解像度の画像であって、低解像度画像ＬＰがＦＨＤの画像である。したがって、図４に示す通り、変換部１２０は、高解像度画像ＨＰを１／４の解像度（画素数）の低解像度画像ＬＰに変換する。変換部１２０は、変換した低解像度画像ＬＰと、取得部１１０から取得した識別情報ＩＤとを対応付けて、埋込部１３０と、抽出部１４０とに供給する。
【００２０】
図３に戻り、埋込部１３０は、変換部１２０が変換した低解像度画像ＬＰに電子透かし技術によって電子透かし情報を埋め込む（ステップＳ１２０）。以下、図５を参照して、埋込部１３０の構成の詳細について説明する。
図５は、本実施形態に係る埋込部１３０の構成の詳細を示す図である。
埋込部１３０は、電子透かし技術によって低解像度画像ＬＰに低解像度埋込画素ＬＲＣを埋め込み、低解像度埋込画像ＬＷＰ２を生成する。ここで、埋込部１３０は、低解像度埋込画像ＬＷＰ２の鑑賞者が知覚困難な大きさの低解像度埋込画素ＬＲＣを低解像度画像ＬＰに埋め込み、低解像度埋込画像ＬＷＰ２を生成する。本実施形態の一例では、低解像度埋込画像ＬＷＰ２には、大きさが１画素の低解像度埋込画素ＬＲＣが含まれる。埋込部１３０は、低解像度埋込画像ＬＷＰ２と、変換部１２０から取得した識別情報ＩＤとを対応付けて、抽出部１４０に供給する。
【００２１】
図３に戻り、抽出部１４０は、埋込部１３０が生成した低解像度埋込画像ＬＷＰ２と、変換部１２０が変換した低解像度画像ＬＰとに基づいて、低解像度埋込画像ＬＷＰ２に埋め込まれる低解像度埋込画素ＬＲＣを抽出する（ステップＳ１３０）。以下、図６を参照して、抽出部１４０の構成の詳細について説明する。
図６は、本実施形態に係る抽出部１４０の構成の詳細を示す図である。
抽出部１４０は、埋込部１３０から低解像度埋込画像ＬＷＰ２と、識別情報ＩＤとを取得する。また、抽出部１４０は、変換部１２０から低解像度画像ＬＰと、識別情報ＩＤとを取得する。抽出部１４０は、識別情報ＩＤが合致する低解像度埋込画像ＬＷＰ２と、低解像度画像ＬＰとに基づいて、低解像度埋込画素ＬＲＣを抽出する。具体的には、抽出部１４０は、低解像度埋込画像ＬＷＰ２の画素の画素値と、当該画素と対応する位置の低解像度画像ＬＰの画素の画素値との差を算出する。
【００２２】
ここで、低解像度埋込画像ＬＷＰ２を構成する低解像度埋込画素ＬＲＣ以外の画素の画素値と、当該画素と対応する位置の低解像度画像ＬＰの画素の画素値とは、合致する。したがって、低解像度埋込画像ＬＷＰ２の画素の画素値と、当該画素と対応する位置の低解像度画像ＬＰの画素の画素値との差が生じる画素は、低解像度埋込画素ＬＲＣである。
抽出部１４０は、低解像度埋込画素ＬＲＣを低解像度画像ＬＰと同様の解像度によって示した差分画像ＤＰを生成する。この一例では、低解像度画像ＬＰは、ＦＨＤの画像である。したがって、抽出部１４０は、ＦＨＤの画像の差分画像ＤＰを生成する。抽出部１４０は、生成した差分画像ＤＰと、算出対象の低解像度画像ＬＰ（又は低解像度埋込画像ＬＷＰ２）に対応付けられた識別情報ＩＤとを対応付けて、拡大部１５０に供給する。
【００２３】
図３に戻り、拡大部１５０は、抽出部１４０が生成した差分画像ＤＰを高解像度画像ＨＰの解像度に基づいて、拡大する（ステップＳ１４０）。以下、図７を参照して、拡大部１５０の構成の詳細について説明する。
図７は、本実施形態に係る拡大部１５０の構成の詳細を示す図である。
拡大部１５０は、抽出部１４０から差分画像ＤＰと、識別情報ＩＤとを取得する。また、拡大部１５０は、取得部１１０から当該識別情報ＩＤと合致する識別情報ＩＤの高解像度画像ＨＰ、又は高解像度画像ＨＰの解像度を示す情報を取得する。拡大部１５０は、高解像度画像ＨＰ、又は高解像度画像ＨＰの解像度を示す情報に基づいて、差分画像ＤＰを高解像度画像ＨＰの解像度と合致する解像度に拡大する。上述したように、ここでは、高解像度画像ＨＰが４Ｋ解像度の画像であって、低解像度画像ＬＰ（差分画像ＤＰ）がＦＨＤの画像である。したがって、拡大部１５０は、差分画像ＤＰを４倍の解像度（画素数）の拡大差分画像ＢＤＰに変換する。
【００２４】
拡大差分画像ＢＤＰには、拡大された低解像度埋込画素ＬＲＣ（以下、拡大埋込画素ＢＲＣ）が含まれる。以下、低解像度埋込画素ＬＲＣと、拡大埋込画素ＢＲＣの詳細について説明する。
図８は、本実施形態に係る低解像度埋込画素ＬＲＣと、拡大埋込画素ＢＲＣとの一例を示す図である。
上述したように、ここでは、拡大差分画像ＢＤＰは、差分画像ＤＰが４倍の解像度（画素数）の画像に変換された画像である。したがって、差分画像ＤＰを構成する画素も単純に４倍される。このため、差分画像ＤＰにおいて大きさが１画素の低解像度埋込画素ＬＲＣは、拡大差分画像ＢＤＰでは４画素の大きさの拡大埋込画素ＢＲＣに変換される。
拡大部１５０は、拡大した拡大差分画像ＢＤＰと、抽出部１４０から取得した識別情報ＩＤとを対応付けて画像生成部１６０に供給する。
【００２５】
図３に戻り、画像生成部１６０は、拡大部１５０が拡大した拡大差分画像ＢＤＰと、取得部１１０が取得した高解像度画像ＨＰとに基づいて、高解像度埋込画像ＨＷＰ２を生成する（ステップＳ１５０）。以下、図９を参照して、画像生成部１６０の構成の詳細について説明する。
図９は、本実施形態に係る画像生成部１６０の構成の詳細を示す図である。
画像生成部１６０は、拡大部１５０から拡大差分画像ＢＤＰと、識別情報ＩＤとを取得する。また、画像生成部１６０は、取得部１１０から高解像度画像ＨＰと、識別情報ＩＤとを取得する。画像生成部１６０は、識別情報ＩＤが合致する拡大差分画像ＢＤＰと、高解像度画像ＨＰとに基づいて、高解像度埋込画像ＨＷＰ２を生成する。高解像度埋込画像ＨＷＰ２とは、高解像度画像ＨＰに拡大埋込画素ＢＲＣが埋め込まれた画像である。具体的には、画像生成部１６０は、高解像度画像ＨＰの画素の画素値に、当該画素と対応する位置の拡大差分画像ＢＤＰの拡大埋込画素ＢＲＣの画素値を加算し、高解像度埋込画像ＨＷＰ２を生成する。画像生成部１６０は、生成した高解像度埋込画像ＨＷＰ２を出力部１７０に供給する。
【００２６】
図３に戻り、出力部１７０は、画像生成部１６０が生成した高解像度埋込画像ＨＷＰ２を、画像生成装置１０に接続される外部装置に出力する（ステップＳ１６０）。なお、出力部１７０は、ネットワークを介して外部装置から高解像度埋込画像ＨＷＰ２を出力する構成であってもよく、画像生成装置１０に接続される外部記憶装置に高解像度埋込画像ＨＷＰ２を出力する構成であってもよい。
【００２７】
以上説明したように、本実施形態の画像生成装置１０の制御部１００は、変換部１２０と、埋込部１３０と、抽出部１４０と、拡大部１５０と、画像生成部１６０とを備える。変換部１２０は、高解像度画像ＨＰを低解像度画像ＬＰに変換する。埋込部１３０は、変換部１２０により変換された低解像度画像ＬＰに対して、電子透かし情報（この一例では、低解像度埋込画素ＬＲＣ）を埋め込む。抽出部１４０は、埋込部１３０により低解像度埋込画素ＬＲＣが埋め込まれた低解像度埋込画像ＬＷＰ２と、低解像度画像ＬＰとの差分を抽出する。拡大部１５０は、抽出部１４０によって抽出された差分画像ＤＰを高解像度画像ＨＰの解像度に基づいて拡大する。画像生成部１６０は、拡大部１５０により拡大された拡大差分画像ＢＤＰと、高解像度画像ＨＰとに基づいて、高解像度埋込画像ＨＷＰ２を生成する。
【００２８】
ここで、電子透かし情報が埋め込まれている画像は、当該電子透かし情報を削減することを目的として縮小変換される場合がある。図１を用いて説明した高解像度埋込画像ＨＷＰ１は、縮小変換によって電子透かし情報が削減される場合があった。
本実施形態の画像生成装置１０が生成する高解像度埋込画像ＨＷＰ２は、電子透かし情報を削減することを目的として縮小変換される際の画像の解像度に基づいて、高解像度画像ＨＰを縮小し、生成した低解像度埋込画素ＬＲＣを電子透かし情報として用いる。したがって、本実施形態の画像生成装置１０が生成する高解像度埋込画像ＨＷＰ２は、電子透かし情報を削減することを目的として縮小変換された際に、電子透かし情報（低解像度埋込画素ＬＲＣ）が削減されることを抑制することができる。
【００２９】
なお、上述した実施形態において、高解像度画像ＨＰとは、「対象画像」の一例である。また、低解像度画像ＬＰとは、「変換画像」の一例である。また、低解像度埋込画像ＬＷＰ２は、「埋め込み画像」の一例である。また、拡大差分画像ＢＤＰとは、「拡大画像」の一例である。
【００３０】
なお、上記の各実施形態における画像生成装置１０が備える各部は、専用のハードウェアにより実現されるものであってもよく、また、メモリおよびマイクロプロセッサにより実現させるものであってもよい。
【００３１】
なお、画像生成装置１０が備える各部は、メモリおよびＣＰＵ（中央演算装置）により構成され、画像生成装置１０が備える各部の機能を実現するためのプログラムをメモリにロードして実行することによりその機能を実現させるものであってもよい。
【００３２】
また、画像生成装置１０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００３３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００３４】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００３５】
１０…画像生成装置、１００…制御部、１１０…取得部、１２０…変換部、１３０…埋込部、１４０…抽出部、１５０…拡大部、１６０…画像生成部、１７０…出力部、ＩＤ…識別情報、ＤＰ…差分画像、ＨＰ…高解像度画像、ＬＰ…低解像度画像、ＢＤＰ…拡大差分画像、ＢＲＣ…拡大埋込画素、ＨＲＣ…高解像度埋込画素、ＬＲＣ…低解像度埋込画素、ＨＷＰ１、ＨＷＰ２…高解像度埋込画像、ＬＷＰ１、ＬＷＰ２…低解像度埋込画像
【図１】
2018198397.tif 000003
【図２】
2018198397.tif 000004
【図３】
2018198397.tif 000005
【図４】
2018198397.tif 000006
【図５】
2018198397.tif 000007
【図６】
2018198397.tif 000008
【図７】
2018198397.tif 000009
【図８】
2018198397.tif 000010
【図９】
2018198397.tif 000011